【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】    【請求項１】 通信ネットワークを介して複数のコンピュータ端末、ユーザ端末および地域サーバと接続され、設置地域毎に視聴可能な番組が異なる複数の前記地域サーバに録画予定または録画済みの番組を表示する録画番組表の表示データを蓄積する国内または海外番組予約サーバを有する広告付き番組配信サーバであって； 前記コンピュータ端末から登録者認証情報を受信する受信手段と；  前記コンピュータ端末から受信した登録者認証情報に基づいて認証処理し、前記コンピュータ端末が選択する前記地域サーバの録画番組表の表示データを前記国内または海外番組予約サーバから読み出して、前記コンピュータ端末が選択する前記地域サーバの地域情報と共に前記録画番組表を前記コンピュータ端末へ表示させる番組表示手段と；  前記コンピュータ端末に表示された録画番組表内の番組を前記コンピュータ端末から指定させる番組指定手段と； 前記ユーザ端末のストリーミング映像表示領域に前記コンピュータ端末が指定した番組を前記録画番組表に対応する前記地域サーバからストリーミング再生する際に、並行して前記ユーザ端末の前記ストリーミング映像表示領域と異なる広告情報表示領域に表示される国または地域もしくは言語を特定する広告情報を前記コンピュータ端末から前記広告配信サーバへ前記通信ネットワークを介して登録する広告登録手段と；を備えることを特徴とする広告付き番組配信サーバ。    【請求項２】 ＩＰアドレスと国または地域もしくは言語を関連付けた地域情報を蓄積するＩＰアドレスデータベースと； 国または地域もしくは言語を特定する広告情報を蓄積する広告配信サーバと；  通信ネットワークを介してアクセスするユーザ端末から該ユーザ端末のＩＰアドレスを受信する受信手段と； 前記ユーザ端末から受信したＩＰアドレスに基づいて前記ＩＰアドレスデータベースを参照し、前記ＩＰアドレスに関連付けた地域情報を抽出してから、前記ユーザ端末に対して前記通信ネットワークを介して前記ユーザ端末が指定する地域サーバへ録画番組の配信指令を送信する録画番組配信指令手段と；  前記地域サーバから録画番組が前記通信ネットワークを介して前記ユーザ端末のストリーミング映像表示領域にストリーミング配信される際に、前記ＩＰアドレスデータベースから抽出した地域情報に基づき、この地域に合致する言語又は地域を特定する前記広告情報を前記広告配信サーバから選択し前記ユーザ端末の前記ストリーミング映像表示領域と異なる広告情報表示領域に表示させるように制御する広告情報配信手段と；を備える広告付き番組配信サーバ。    【請求項３】 国または地域もしくは言語を特定する広告情報を蓄積する広告配信サーバと；  通信ネットワークを介して接続されるユーザ端末に対して前記通信ネットワークを介してユーザ端末が指定する地域サーバへ録画番組の配信指令を送信する録画番組配信指令手段と；  前記ユーザ端末が指定する前記地域サーバの地域情報に基づき、この地域に合致する言語又は地域を特定する広告情報を前記広告配信サーバから選択し、前記録画番組が前記ユーザ端末のストリーミング映像表示領域に配信される際に、前記通信ネットワークを介して、選択された前記広告情報を前記ユーザ端末の��記ストリーミング映像表示領域と異なる広告情報表示領域に表示させるように制御する広告情報配信手段と；を備える広告付き番組配信サーバ。    【請求項４】 国または地域もしくは言語を特定する広告情報を蓄積する広告配信サーバと；  通信ネットワークを介して接続されるユーザ端末に対して前記通信ネットワークを介して前記ユーザ端末が指定する地域サーバへ録画番組の配信指令を送信する録画番組配信指令手段と；  前記ユーザ端末へ配信する録画番組の番組情報に基づき、この番組の言語又は地域を特定する広告情報を前記広告配信サーバから選択し、前記録画番組がユーザ端末のストリーミング映像表示領域へ配信される際に、前記通信ネットワークを介して、選択された前記広告情報を前記ユーザ端末のストリーミング映像表示領域と異なる広告情報表示領域に表示させるように制御する広告情報配信手段と；を備える広告付き番組配信サーバ。    【請求項５】 前記番組表示手段は、前記コンピュータ端末が選択する放送番組地域の案内表示、放送局の案内表示、番組の案内表示を前記コンピュータ端末へ順次表示させ、国内または海外番組予約サーバに蓄積する録画番組の表示データを読み出し、複数の地域サーバ番組表の中から前記コンピュータ端末が選択する一の地域サーバ番組表を前記コンピュータ端末へ表示させる請求項１に記載の広告付き番組配信サーバ。    【請求項６】 国または地域を特定する広告情報を蓄積する広告配信サーバと、  ユーザ端末の電子番組案内又は予約画面上からユーザが指定する放送番組を前記ユーザ端末から通信ネットワークを通じて録画予約する番組予約サーバと；  前記通信ネットワークに接続され、第１の視聴地区で有線又は無線の放送番組を蓄積する第１の番組記録サーバと；  前記通信ネットワークに接続され、前記第１の視聴地区と異なる第２の視聴地区で有線又は無線の放送番組を蓄積する第２の番組記録サーバと； 前記ユーザ端末と前記通信ネットワークを介して接続され、前記番組予約サーバで録画予約した放送番組を前記第１又は第２の番組記録サーバから前記通信ネットワークを通じて、アクセス中の前記ユーザ端末のストリーミング映像表示領域へストリーミング方式により個別配信する番組配信サーバと； 前記ユーザ端末が指定する前記第１又は第２の番組記録サーバの地域情報に基づき、この地域に合致する言語又は地域を特定する広告情報を前記広告配信サーバから選択し、前記通信ネットワークを介して、選択された前記広告情報を前記ユーザ端末のストリーミング映像表示領域と異なる広告情報表示領域に表示させるように制御する広告情報配信手段と；を備える広告付き番組配信サーバ。    【請求項７】  前記番組予約サーバは、前記第１及び第２の番組記録サーバに蓄積された放送番組の蓄積期限を設定し、該蓄積期限を超過した放送番組を前記第１及び第２の番組記録サーバから削除する放送番組削除情報を前記通信ネットワークを通じて前記第１及び第２の番組記録サーバへ送信する放送番組削除手段を備える請求項６に記載の広告付き番組配信サーバ。    【請求項８】  前記ユーザ端末の認証情報に対応する性別、住所、年齢、趣味、希望広告種のユーザ属性情報の少なくとも１つを記録するユーザ属性情報記憶領域と；  広告主の広告情報を蓄積すると共に、前記ユーザ属性情報記憶領域に記憶されたユーザ属性情報の少なくとも１つの情報を用いて、所定の広告を選択し前記通信ネットワークを通じて前記ユーザ端末の電子番組案内又は予約画面上に表示させる広告配信手段と；を備える請求項６に記載の広告付き番組配信サーバ。    【請求項９】  前記ユーザ端末が前記番組予約サーバを介して再生した放送番組の管理ＩＤ、名称、著作者、放送時間の各々をポイント化し自動的にレーティングすると共に、該レーティング上位の放送番組リストを前記ユーザ端末の電子番組案内又は予約画面上に表示させる個別予約案内手段をさらに備える請求項６に記載の広告付き番組配信サーバ。    【請求項１０】  前記第１の番組記録サーバを国内の番組視聴地区に設置し、前記第２の番組記録サーバを海外の番組視聴地区に設置する請求項６に記載の広告付き番組配信サーバ。    【請求項１１】 通信ネットワークを通じて放送番組を録画予約し視聴するネットワーク広告配信方法であって；  第１の視聴地区で有線又は無線の放送番組を第１の番組記録サーバに蓄積し、前記第１の視聴地区と異なる第２の視聴地区で有線又は無線の放送番組を第２の番組記録サーバに蓄積する番組記録工程と； ユーザに選択させる放送番組地域の案内表示、放送局の案内表示、番組の案内表示をユーザ端末へ順次表示させ、国内または海外番組予約サーバに蓄積する番組表の表示データを読み出し、複数の地域サーバの番組表の中からユーザが選択する一の地域サーバの番組表を前記ユーザ端末へ表示し、ユーザが指定する放送番組を前記通信ネットワークを通じて番組予約サーバへ録画予約する番組予約工程と；  前記ユーザ端末のＩＰアドレスを前記通信ネットワークを介して受信し、前記番組予約サーバへ録画予約した放送番組に対応する前記第１又は第２の番組記録サーバに蓄積した録画番組を前記通信ネットワークを通じて、アクセス中の前記ユーザ端末のストリーミング映像表示領域へストリーミング方式により個別配信する番組配信工程と； 前記ユーザ端末から前記通信ネットワークを介して受信した前記ＩＰアドレスに基づき、ＩＰアドレスと地域情報を蓄積するＩＰアドレスデータベースを参照し、抽出した地域情報に合致する言語又は地域を特定する広告情報を広告配信サーバから選択し、選択された前記広告情報を前記ユーザ端末のストリーミング映像表示領域と異なる広告情報表示領域に前記通信ネットワークを介して表示させる広告情報配信工程と；を含むことを特徴とするネットワーク広告配信方法。 【手続補正２】
【補正対象書類名】明細書
【補正対象項目名】発明の名称
【補正方法】変更
【補正の内容】
【発明の名称】広告付き番組配信サーバ及びネットワーク広告配信方法
【手続補正３】
【補正対象書類名】明細書
【補正対象項目名】０００１
【補正方法】変更
【補正の内容】
【０００１】  本発明は広告付き番組配信サーバ及びネットワーク広告登録方法に係り、特に、複数の地域又は領域で放映されるテレビ放送番組やラジオ放送番組を蓄積し、蓄積した録画番組にアクセスする視聴者の国籍や使用言語に個別対応する広告情報を通信ネットワークを介して配信する広告付き番組配信サーバ及びネットワーク広告配信方法に関するものである。
【手続補正４】
【補正対象書類名】明細書
【補正対象項目名】０００２
【補正方法】変更
【補正の内容】
【０００２】【従来の技術】  一般に、ブロードバンドの通信回線に接続されたホームサーバを使用し、電子番組案内（ＥＰＧ）や予約画面上からテレビ番組を録画予約し、ハードディスクレコーダで再生視聴する録画予約装置が知られている。この録画予約装置は、ホームサーバ、外出先のパ−ソナルコンピュータ、携帯電話から番組の予約を受け付ける。また、録画中も過去に録画した番組を同時に再生視聴することができ、録画中の番組でも巻き戻し、早送り、再生ができるネットワーク番組録画システムである（例えば、特許文献１、２および３参照。）。【特許文献１】特開２００１−３０９３３４号公報【特許文献２】特開２００２−１３５６９８号公報【特許文献３】特開２００２−２５８７８２号公報【手続補正５】
【補正対象書類名】明細書
【補正対象項目名】０００８
【補正方法】変更
【補正の内容】
【０００８】【課題を解決するための手段】  上記目的を達成するために、請求項１に係る広告付き番組配信サーバは、通信ネットワークを介して複数のコンピュータ端末、ユーザ端末および地域サーバと接続され、設置地域毎に視聴可能な番組が異なる複数の地域サーバに録画予定または録画済みの番組を表示する録画番組表の表示データを蓄積する国内または海外番組予約サーバを有する広告付き番組配信サーバであって；コンピュータ端末から登録者認証情報を受信する受信手段と；コンピュータ端末から受信した登録者認証情報に基づいて認証処理し、コンピュータ端末が選択する地域サーバの録画番組表の表示データを国内または海外番組予約サーバから読み出して、コンピュータ端末が選択する地域サーバの地域情報と共に録画番組表をコンピュータ端末へ表示させる番組表示手段と；コンピュータ端末に表示された録画番組表内の番組をコンピュータ端末から指定させる番組指定手段と；ユーザ端末のストリーミング映像表示領域にコンピュータ端末が指定した番組を録画番組表に対応する地域サーバからストリーミング再生する際に、並行してユーザ端末のストリーミング映像表示領域と異なる広告情報表示領域に表示される国または地域もしくは言語を特定する広告情報をコンピュータ端末から広告配信サーバへ通信ネットワークを介して登録する広告登録手段と；を備える。【手続補正６】
【補正対象書類名】明細書
【補正対象項目名】００１１
【補正方法】変更
【補正の内容】
【００１１】  上記目的を達成するために、請求項２に係る広告付き番組配信サーバは、ＩＰアドレスと国または地域もしくは言語を関連付けた地域情報を蓄積するＩＰアドレスデータベースと；国または地域もしくは言語を特定する広告情報を蓄積する広告配信サーバと；通信ネットワークを介してアクセスするユーザ端末から該ユーザ端末のＩＰアドレスを受信する受信手段と；ユーザ端末から受信したＩＰアドレスに基づいてＩＰアドレスデータベースを参照し、ＩＰアドレスに関連付けた地域情報を抽出してから、ユーザ端末に対して通信ネットワークを介してユーザ端末が指定する地域サーバへ録画番組の配信指令を送信する録画番組配信指令手段と；地域サーバから録画番組が通信ネットワークを介してユーザ端末のストリーミング映像表示領域にストリーミング配信される際に、ＩＰアドレスデータベースから抽出した地域情報に基づき、この地域に合致する言語又は地域を特定する広告情報を広告配信サーバから選択しユーザ端末のストリーミング映像表示領域と異なる広告情報表示領域に表示させるように制御する広告情報配信手段と；を備える。
【手続補正７】
【補正対象書類名】明細書
【補正対象項目名】００１４
【補正方法】変更
【補正の内容】
【００１４】  上記目的を達成するために、請求項３に係る広告付き番組配信サーバは、国または地域もしくは言語を特定する広告情報を蓄積する広告配信サーバと；通信ネットワークを介して接続されるユーザ端末に対して通信ネットワークを介してユーザ端末が指定する地域サーバへ録画番組の配信指令を送信する録画番組配信指令手段と；ユーザ端末が指定する地域サーバの地域情報に基づき、この地域に合致する言語又は地域を特定する広告情報を広告配信サーバから選択し、録画番組がユーザ端末のストリーミング映像表示領域に配信される際に、通信ネットワークを介して、選択された広告情報をユーザ端末のストリーミング映像表示領域と異なる広告情報表示領域に表示させるように制御する広告情報配信手段と；を備える。
【手続補正８】
【補正対象書類名】明細書
【補正対象項目名】００１７
【補正方法】変更
【補正の内容】
【００１７】  上記目的を達成するために、請求項４に係る広告付き番組配信サーバは、国または地域もしくは言語を特定する広告情報を蓄積する広告配信サーバと；通信ネットワークを介して接続されるユーザ端末に対して通信ネットワークを介してユーザ端末が指定する地域サーバへ録画番組の配信指令を送信する録画番組配信指令手段と；ユーザ端末へ配信する録画番組の番組情報に基づき、この番組の言語又は地域を特定する広告情報を広告配信サーバから選択し、録画番組がユーザ端末のストリーミング映像表示領域へ配信される際に、通信ネットワークを介して、選択された広告情報をユーザ端末のストリーミング映像表示領域と異なる広告情報表示領域に表示させるように制御する広告情報配信手段と；を備える。
【手続補正９】
【補正対象書類名】明細書
【補正対象項目名】００２０
【補正方法】変更
【補正の内容】
【００２０】  上記目的を達成するために、請求項６に係る広告付き番組配信サーバは、国または地域を特定する広告情報を蓄積する広告配信サーバと；ユーザ端末の電子番組案内又は予約画面上からユーザが指定する放送番組をユーザ端末から通信ネットワークを通じて録画予約する番組予約サーバと；通信ネットワークに接続され、第１の視聴地区で有線又は無線の放送番組を蓄積する第１の番組記録サーバと；通信ネットワークに接続され、第１の視聴地区と異なる第２の視聴地区で有線又は無線の放送番組を蓄積する第２の番組記録サーバと；ユーザ端末と通信ネットワークを介して接続され、番組予約サーバで録画予約した放送番組を第１又は第２の番組記録サーバから通信ネットワークを通じて、アクセス中のユーザ端末のストリーミング映像表示領域へストリーミング方式により個別配信する番組配信サーバと；ユーザ端末が指定する第１又は第２の番組記録サーバの地域情報に基づき、この地域に合致する言語又は地域を特定する広告情報を広告配信サーバから選択し、通信ネットワークを介して、選択された広告情報をユーザ端末のストリーミング映像表示領域と異なる広告情報表示領域に表示させるように制御する広告情報配信手段と；を備える。
【手続補正１０】
【補正対象書類名】明細書
【補正対象項目名】００２１
【補正方法】変更
【補正の内容】
【００２１】 上記目的を達成するために、請求項１１に係るネットワーク広告配信方法は、通信ネットワークを通じて放送番組を録画予約し視聴するネットワーク広告配信方法であって；第１の視聴地区で有線又は無線の放送番組を第１の番組記録サーバに蓄積し、第１の視聴地区と異なる第２の視聴地区で有線又は無線の放送番組を第２の番組記録サーバに蓄積する番組記録工程と；ユーザに選択させる放送番組地域の案内表示、放送局の案内表示、番組の案内表示をユーザ端末へ順次表示させ、国内または海外番組予約サーバに蓄積する番組表の表示データを読み出し、複数の地域サーバの番組表の中からユーザが選択する一の地域サーバの番組表をユーザ端末へ表示し、ユーザが指定する放送番組を通信ネットワークを通じて番組予約サーバへ録画予約する番組予約工程と；ユーザ端末のＩＰアドレスを通信ネットワークを介して受信し、番組予約サーバへ録画予約した放送番組に対応する第１又は第２の番組記録サーバに蓄積した録画番組を通信ネットワークを通じて、アクセス中のユーザ端末のストリーミング映像表示領域へストリーミング方式により個別配信する番組配信工程と；ユーザ端末から通信ネットワークを介して受信したＩＰアドレスに基づき、ＩＰアドレスと地域情報を蓄積するＩＰアドレスデータベースを参照し、抽出した地域情報に合致する言語又は地域を特定する広告情報を広告配信サーバから選択し、選択された広告情報をユーザ端末のストリーミング映像表示領域と異なる広告情報表示領域に通信ネットワークを介して表示させる広告情報配信工程と；を含む。
【手続補正１１】
【補正対象書類名】明細書
【補正対象項目名】０１１２
【補正方法】変更
【補正の内容】
【０１１２】  図７は、本発明の実施の形態である広告付き番組配信サーバのウエブ画面図である。図示したウエブ画面１００は、通信ネットワークを介して配信される録画番組と広告情報とを番組ユーザ端末としてのパーソナルコンピュータ等にインストールしているブラウザソフトにフラッシュプレーヤをプラグインして表示させている状態を例示している。
【手続補正１２】
【補正対象書類名】明細書
【補正対象項目名】０１１７
【補正方法】変更
【補正の内容】
【０１１７】  図７のウエブ画面１００を参照して、広告付き番組配信サーバの作動フローを説明する。第１のステップでは、ユーザがユーザ端末のディスプレイに表示された予約画面の録画予定日入力ボックス１０３にポインタを移動させて、キーボードから西暦の年月日を入力する。また、録画予定日入力ボックス１０３の右側に設けられたダウンメニューボタンをマウスなどで選択操作し将来の日付をダウン表示させてマウスなどで選択することもできる。但し、初期設定画面には現在の年月日が表示されているので、当日の番組を予約する場合は年月日の入力操作を省略することができる。
【手続補正１３】
【補正対象書類名】明細書
【補正対象項目名】０１２５
【補正方法】変更
【補正の内容】
【０１２５】  さらに、第３の録画予約方法では、ユーザが頻繁に録画再生する放送番組を自動的にレーティングして個別予約案内の表示領域１３６にポイントの高い順に表示された放送番組の中から選択することにより録画予約することもできる。個別予約案内の表示領域１３６には、最もレーティングの高い６０ポイントの放送番組が「ドラマ」名と出演者名と共に最上段にリストされている。次の段に５０ポイントの放送番組が「サッカー」名と対戦チーム名と共にリストされている。さらに次の段に４０ポイントの放送番組が「野球」名と対戦チーム名と共にリストされている。
【手続補正１４】
【補正対象書類名】明細書
【補正対象項目名】０１５２
【補正方法】変更
【補正の内容】
【０１５２】  以上、説明したように本発明の広告付き番組配信サーバによれば、通信ネットワークを通じて録画番組を配信する際に、ユーザに対して個別対応可能な広告情報を選択的に自動配信するという優れた効果を奏し得る。